(57)【要約】【課題】ジャイロセンサに代わるセンサを方位検出手段として用いても、車両用ターンテーブル付き駐車場からの車両の退出を良好に判定できて、自車両の方位を補正できるようにする。【解決手段】カーナビゲーション装置１は、ＧＰＳ受信機１１、車輪速センサ１２、１３を有する位置検出器２と、制御装置５などを備えて構成される。制御装置５は、位置検出器２により自車両位置が所定走行区域から離脱したことが検出され且つ自車両の走行状況が所定パターンに合致したときに自車両が車両用ターンテーブルにより転回されたことを判定し、自車両の方位を補正する。【選択図】図１
2008196996.tif 000002
【特許請求の範囲】
【請求項１】
ＧＰＳ受信機と方位検出手段とを備えて自車両位置を検出する位置検出手段と、
自車両の車両スイッチのオンオフ、走行開始及び停止、走行時間、及び走行方向を検出する車両状況検出手段と、
前記位置検出手段により自車両位置が所定走行区域から離脱したことが検出され且つ前記車両状況検出手段により検出された自車両の走行状況が所定パターンに合致したときに自車両が車両用ターンテーブルにより転回されたことを判定する車両転回判定手段と、
この車両転回判定手段により自車両の転回が判定されたときに、この判定結果により、自車両の方位を補正する補正手段と
を備えたことを特徴とするカーナビゲーション装置。
【請求項２】
前記請求項１に記載のカーナビゲーション装置において、
前記方位検出手段は、自車両の左右の車輪の速度を測定する少なくとも２つの車輪速センサから構成されていることを特徴とするカーナビゲーション装置。
【請求項３】
前記請求項１に記載のカーナビゲーション装置において、
前記方位検出手段は、自車両の速度を測定する車速センサと、ステアリングセンサとを備えて構成されていることを特徴とするカーナビゲーション装置。
【請求項４】
前記請求項１〜３のいずれかに記載のカーナビゲーション装置において、
前記所定走行区域は道路であり、
前記所定パターンは、前記車両スイッチオフ、その後該車両スイッチオン、その後リバース方向へ所定距離走行して停止、所定時間停車後フォワード方向へ走行開始といった動作パターンであることを特徴とするカーナビゲーション装置。
【発明の詳細な説明】
【技術分野】
【０００１】
本発明は、車両用ターンテーブル付き駐車場からの退出判定を行うようにしたカーナビゲーション装置に関する。
【背景技術】
【０００２】
推測航法とマップマッチング法により車両位置を算出するカーナビゲーション装置においては、電源オン状態では、車両の方位変化を算出できるジャイロセンサを使用するのが一般的である。ジャイロセンサを搭載したカーナビゲーション装置としては例えば特許文献１がある。
【特許文献１】特開２００６−４２２３号公報
【発明の開示】
【発明が解決しようとする課題】
【０００３】
ところで、カーナビゲーション装置においては、コストダウンを図るために、ジャイロセンサを廃止し、車両に装着されるステアリングセンサと車速センサ、あるいは左右車輪に装着される車輪速センサといったセンサをジャイロセンサの代わりの方位検出手段として利用し、その信号を取り込んで、方位変化を算出する方法が検討されている。この方法では、車両が車両用ターンテーブル付き駐車場（例えば、いわゆるタワーパーキング）からの退出した場合を認識できなくなるという不都合が考えられる。
【０００４】
すなわち、車両用ターンテーブル付き駐車場の車両格納室から出る際に電源オンされた車両は、該車両格納室を出た後、車両用ターンテーブルで概ね１８０度転回される。この場合、ジャイロセンサでその方位変化を検出することができたが、上記ジャイロセンサに代わる方位検出手段では、直接的に方位変化を検出できないという問題がある。
【０００５】
本発明は上記事情に鑑みてなされたものであり、その目的は、ジャイロセンサに代わるセンサを方位検出手段として用いても、車両用ターンテーブル付き駐車場からの退出を良好に判定できて、自車両の方位を補正できるカーナビゲーション装置を提供することにある。
【課題を解決するための手段】
【０００６】
本願発明者は、車両が、車両用ターンテーブル付き駐車場に入り、そして出る場合、車両の挙動として或るパターンを示すことに着目した。すなわち、一般的に、車両が車両用ターンテーブル付き駐車場に入る場合には、道路から離脱して車両用ターンテーブル付き駐車場に入り、そして車両格納室（リフト室）に入り、車両スイッチをオフする。車両が車両用ターンテーブル付き駐車場から出るときには、車両格納室で車両スイッチをオンし、該車両格納室から車両用ターンテーブル上までリバース走行し、該車両用ターンテーブルが転回し終わるのを待ち、その後フォワード走行して車両用ターンテーブル付き駐車場から出る、というものである。
【０００７】
この点を考慮した請求項１の発明によれば、車両転回判定手段は、位置検出手段により自車両位置が所定走行区域から離脱したことが検出され且つ車両状況検出手段により検出された自車両の走行状況が所定パターンに合致したときに自車両が車両用ターンテーブルにより転回されたことを判定するから、方位検出手段としてジャイロセンサを用いなくとも、車両用ターンテーブル付き駐車場からの車両の退出を良好に判定でき、そして、補正手段により車両用ターンテーブル付き駐車場から出車直後に自車両の方位を補正できる。そして、ジャイロセンサを用いない構成を採用できることにより、コストダウンを図ることができる。
【０００８】
この場合、前記方位検出手段は、自車両の左右の車輪の速度を測定する少なくとも２つの車輪速センサから構成として良く（請求項２の発明）、これによれば、左右の車輪速センサの速度信号の内外輪差に基づいて車両方位を検出でき、所期のナビゲーション機能を不足なく得ることができる。
【０００９】
また、前記方位検出手段は、自車両の速度を測定する車速センサと、ステアリングセンサとを備えた構成としても良く（請求項３の発明）、これによれば、車速センサからの信号と、ステアリングセンサからの信号とに基づいて車両方位を検出でき、所期のナビゲーション機能を不足なく得ることができる。
【００１０】
また、前記所定走行区域を道路とし、前記所定パターンを、前記車両スイッチオフ、その後該車両スイッチオン、その後リバース方向へ所定距離走行して停止、所定時間停車後フォワード方向へ走行開始といった動作パターンとしても良い（請求項４の発明）。これによれば、方位検出手段としてジャイロセンサを用いなくとも、車両用ターンテーブル付き駐車場からの退出を確実に判定できるようになる。
【発明を実施するための最良の形態】
【００１１】
以下、本発明の一実施例について説明する。図１はカーナビゲーション装置１の電気的構成を示すブロック図である。この図１に示すカーナビゲーション装置１は、位置検出器２と、地図データ記憶手段たるＣＤ−ＲＯＭ、ＤＶＤ−ＲＯＭ等の地図データ記録媒体３から地図データを読み取る地図データ入力器４と、ナビゲーションに必要な各種処理を実行する制御装置５と、地図などの表示を行なう報知手段たる表示装置６と、音声を出力する報知手段たる音声出力装置７と、リモコン８からの信号を受信するリモコンセンサ９と、ナビゲーションに必要な各種操作を行なうための操作スイッチ群１０と、外部メモリ１４とを備えて構成されている。また、前記制御装置５には、車両スイッチとしてのイグニッションスイッチからのオンオフ信号Ｓon、Ｓoffが与えられるようになっている。
【００１２】
前記位置検出器２は、車両位置を検出する自車両位置検出手段に相当するものであり、ＧＰＳ受信機１１と、車輪速センサである左車輪速センサ１２及び右車輪速センサ１３とを備えて構成されており、ＧＰＳ受信機により受信するＧＰＳ信号には、車両位置情報や時刻情報が含まれている。また左車輪速センサ１２及び右車輪速センサ１３は夫々車両の例えば左側前輪及び右側前輪の車輪速を検出し、走行距離や操舵角を検出するものである。この場合、車両には左右の後輪にも車輪速センサを備えており、これら４つの車輪速センサは、例えばアンチロック制御機能のために車両に備えられており、本実施例では、上記左車輪速センサ１２及び右車輪速センサ１３をカーナビゲーション装置１に利用している。
【００１３】
前記地図データ記録媒体３には、地図表示に用いられる地図データ、マップマッチングに用いられる地図データ、及び経路案内に用いられる地図データ、各種施設の位置データなどが含まれている。また、上述した各地図データには、道路上のノード（要となる地点、交差点（分岐部）を含む）及びリンクについての情報が設定されている。さらに、道路のカーブ半径や路面傾斜角などの道路状況データも含まれている。
【００１４】
前記制御装置５は、ＣＰＵ、ＲＯＭ、ＲＡＭ、Ｉ／Ｏインターフェース及びこれらを接続するバスラインなど（いずれも図示せず）を含んで構成されており、ＲＯＭには、目的地設定、ルート設定、音声案内（ルート案内）、表示制御、車両状況検出、車両転回判定、補正などに関するプログラムを格納しており、この制御装置５は、車両状況検出手段、車両転回判定手段及び補正手段としても機能する。上記車両状況検出手段としての機能は、イグニッションスイッチのオンオフを前記オンオフ信号Ｓon、Ｓoffから検出すると共に、走行開始及び停止を左右の車輪速センサ１２、１３からの信号により検出し、走行時間を内部ソフトタイマー機能により検出し、及び走行方向を前記左右の車輪速センサ１２、１３からの信号により検出する機能である。
【００１５】
前記操作スイッチ群１０及びリモコン８は入力手段たるものであり、各種設定を行うためのものである。前記外部メモリ１４は例えばフラッシュメモリカードやハードデスクドライブなどから構成されており、適宜データを記憶したり、読み出したりするものである。
【００１６】
前記制御装置５の制御内容について図２のフローチャートに従って説明する。
自車位置表示制御時（ルート案内機能実行中における自車位置表示制御でも良いし単なる自車位置表示制御でも良い）において、ステップＳ１では、位置検出器２からの信号と地図データとから、自車両が所定走行区域としての道路から離脱したか否かを検出する。そして、離脱したことが検出されると、ステップＳ２で車両スイッチとしてのイグニッションスイッチがオフされたか否かを判断する。このステップＳ１、ステップＳ２の判定処理の趣旨は、自車両が駐車場で停車したか否かを判定するものである。
【００１７】
次のステップＳ３では、この停車地点をとりあえず車両用ターンテーブル付き駐車場（タワーパーキング）位置として仮記憶（一時的に記憶）する。そしてステップＳ４では、イグニッションスイッチがオンされたか否かを判断する。この判断の趣旨は、駐車場から出ることになったことを検出するためである。
【００１８】
次のステップＳ５では、車輪速センサ１２、１３からの信号に基づいて自車両がリバース方向へ走行したか否かを判断する。この判断の趣旨は、駐車場がタワーパーキングであったとするとリバース方向へ走行すると想定しており、リバース方向の走行が判断されれば、駐車場がタワーパーキングであったと想定できる。
【００１９】
次のステップＳ６では、所定距離走行して停止したか否かを判断する。この判断の趣旨は、駐車場がタワーパーキングであったとすると、車両格納室から車両用ターンテーブルまで、ある程度短い距離を走行することを判断するところにある。そして、ステップＳ７では、この停車地点をとりあえずターンテーブル位置Ｐｔとして仮記憶する。
【００２０】
次のステップＳ８では、所定時間停車し且つフォワード方向へ走行開始したか否かを判断する。この判断の趣旨は、上記位置Ｐｔに車両用ターンテーブルがあったとすると、該車両用ターンテーブルの転回に所定時間を要するから、この所定時間を要したことを判断し、そして、上記位置Ｐｔに車両用ターンテーブルがあったとすると、この所定時間以後の走行方向はフォワード方向であるから、これを判断するところにある。
【００２１】
このステップＳ８で「ＹＥＳ」となると、ステップＳ９で、自車両がタワーパーキングに駐車されて転回されたことを判断し、上記各位置Ｐｐ及びＰｔを外部メモリ１４に記憶し、次回の走行に駐車場データとして利用するようにする。ここまでにおける自車両の挙動は図３のようになる。
そして、前記ターンテーブル位置Ｐｔ以降の軌跡（方位）を１８０度回転する補正を行う。なお、前記ステップＳ５、ステップＳ６、ステップＳ８で「ＮＯ」と判断された時には、ステップＳ９、ステップＳ１０の処理はなされない。
【００２２】
上述した本実施例によれば、位置検出器２により自車両位置が所定走行区域である道路から離脱したことが検出され且つ自車両の走行状況が所定パターンに合致したときに自車両が車両用ターンテーブルにより転回されたことを判定するから、方位検出手段としてジャイロセンサを用いなくとも、タワーパーキングからの車両の退出を良好に判定できる。そして、タワーパーキングから出車直後（車両用ターンテーブルから退出直後）に自車両の方位を補正できる。そして、ジャイロセンサを用いない構成を採用できることにより、コストダウンを図ることができる。
【００２３】
また、本実施例によれば、方位検出手段として、自車両の左右の車輪の速度を測定する左車輪速センサ１２及び右車輪速センサ１３から構成としたから、これら左右の車輪速センサ１２、１３の速度信号の内外輪差に基づいて車両方位を検出でき、所期のナビゲーション機能を不足なく得ることができる。
【００２４】
また、本実施例によれば、前記所定走行区域を道路とし、前記所定パターンを、前記イグニッションスイッチオフ、その後該イグニッションスイッチオン、その後リバース方向へ所定距離走行して停止、所定時間停車後フォワード方向へ走行開始といった動作パターンとしたから、方位検出手段としてジャイロセンサを用いなくとも、車両用ターンテーブル付き駐車場からの退出を確実に判定できる。
【００２５】
なお、本発明は、上記した実施例に限られず、例えば、方位検出手段としては、自車両の速度を測定する車速センサと、ステアリングセンサとを備えた構成としても良い。このようにすれば、車速センサからの信号と、ステアリングセンサからの信号（操舵角信号）とに基づいて車両方位を検出でき、所期のナビゲーション機能を不足なく得ることができる。なお、車速センサは、例えば、後輪駆動車のドライブシャフトの回転速度を検出する構成である。また、車輪速センサは、車両の４輪に対応して設けられた４つの車輪速センサを利用しても良い。
【図面の簡単な説明】
【００２６】
【図１】本発明の一実施例を示すカーナビゲーション装置の電気的構成のブロック図
【図２】制御内容を示すフローチャート
【図３】車両の挙動を示す図
【符号の説明】
【００２７】
図面中、１はカーナビゲーション装置、２は位置検出器（位置検出手段）、３は地図データ記録媒体、５は制御装置（車両状況検出手段、車両転回判定手段、補正手段）、１１はＧＰＳ受信機、１２は左車輪速センサ（車輪速センサ）、１３は右車輪速センサ（車輪速センサ）を示す。
【図１】
2008196996.tif 000003
【図２】
2008196996.tif 000004
【図３】
2008196996.tif 000005